(57)【要約】  連携情報を生成して予め定められた記憶媒体に記憶する情報端末２０と、記憶媒体に記憶された連携情報を監視するモダリティ３０と、から構築される連携システム１００を提供する。  情報端末２０と、情報端末２０に接続されるモダリティ３０と、を含む連携システム１００であって、情報端末２０は、患者情報又は検査情報を含む連携情報を生成し、モダリティ３０は、生成された連携情報を取得し、取得された連携情報に基づいて撮影対象の患者情報又は検査情報の登録を行い、撮影開始時の表示画面を表示して待機する連携システム１００とする。
2011004632.tif 000002
【特許請求の範囲】
【請求項１】
情報端末と、当該情報端末に接続されるモダリティと、を含む連携システムであって、
前記情報端末は、患者情報又は検査情報を含む連携情報を生成し、
前記モダリティは、前記生成された連携情報を取得し、当該取得された連携情報に基づいて撮影対象の患者の患者情報又は検査情報について登録を行い、撮影開始時の表示画面を表示して待機する連携システム。   
【請求項２】
前記情報端末は、医用画像の取り込み時に、前記モダリティの電源がＯＮであるか否かを確認し、電源がＯＮでない場合は電源連動コマンドにより電源をＯＮにする請求の範囲第１項に記載の連携システム。   
【請求項３】
前記情報端末は、医用画像の取り込み時に、共有フォルダに前記連携情報を格納し、
前記モダリティは、電源ＯＮ時において前記共有フォルダを常時監視し、前記連携情報が前記共有フォルダに格納された際には当該格納された連携情報を取得し、当該取得された連携情報に基づいて前記撮影対象の患者の患者情報又は検査情報について登録を行い、撮影開始時の表示画面を表示して待機する請求の範囲第１項又は第２項に記載の連携システム。   
【請求項４】
前記情報端末は、前記モダリティからの問合せに応じて検査予約情報を前記モダリティに取得させ、
前記モダリティは、前記検査予約情報を取得し、当該取得された検査予約情報及び前記連携情報に基づいて前記撮影対象の患者の患者情報又は検査情報について登録を行い、撮影開始時の表示画面を表示して待機する請求の範囲第１項〜第３項の何れか一項に記載の連携システム。
【請求項５】
前記情報端末は、医用画像の取り込み時に、患者情報通知メッセージによって前記連携情報を前記モダリティに取得させ、
前記モダリティは、前記連携情報を取得し、当該取得された連携情報に基づいて前記撮影対象の患者の患者情報又は検査情報について登録を行い、撮影開始時の表示画面を表示して待機する請求の範囲第１項〜第４項の何れか一項に記載の連携システム。   
【請求項６】
前記患者情報は、前記モダリティにより撮影される患者の患者ＩＤ、氏名、生年月日、又は性別のうち、何れか又は全てを含み、
前記検査情報は、前記モダリティにより撮影される際の検査ＩＤ、検査モード、プローブ種別又は画像処理パラメータのうち、何れか又は全てを含む請求の範囲第１項〜第５項の何れか一項に記載の連携システム。   
【請求項７】
撮影対象の患者の医用画像を取得するための画像取り込みボタンと、
モダリティに接続される通信部と、
前記画像取り込みボタンの押下時に、前記モダリティの電源がＯＮであるか否かを確認し、電源がＯＮでない場合は電源連動コマンドにより電源をＯＮにするとともに前記撮影対象の患者の患者情報又は検査情報を含む連携情報を共有フォルダに格納する制御部と、
を備えた情報端末。   
【請求項８】
前記制御部は、前記モダリティからの問合せに応じて検査予約情報を前記モダリティに取得させる請求の範囲第７項に記載の情報端末。
【請求項９】
前記制御部は、前記画像取り込みボタンの押下時に、患者情報通知メッセージによって前記連携情報を前記モダリティに取得させる請求の範囲第７項又は第８項に記載の情報端末。   
【請求項１０】
前記患者情報は、前記モダリティにより撮影される患者の患者ＩＤ、氏名、生年月日、又は性別のうち、何れか又は全てを含み、
前記検査情報は、前記モダリティにより撮影される際の検査ＩＤ、検査モード、プローブ種別又は画像処理パラメータのうち、何れか又は全てを含む請求の範囲第７項〜第９項の何れか一項に記載の情報端末。
【発明の詳細な説明】
【技術分野】
【０００１】
本発明は、連携システム及び情報端末に関する。
【背景技術】
【０００２】
近年、医療情報を連携する技術について開発が進められている。
特開２００８−１８８３２９号公報には、一の医療機関で得られた医用画像等の医療情報をメディアに記録する際、他の医療機関でも容易に閲覧し得るようにメディアに記録する技術が開示されている。この技術によれば、異なる医療機関同士で医療情報の連携を図ることができる。【０００３】
医療の現場は多忙を極め、小さなミスが大きな問題へと発展することから、上記の様に連携を図ることが医療従事者の負担を軽減し、ミスを防止する上で有効となる。
【先行技術文献】
【特許文献】
【０００４】
【特許文献１】特開２００８−１８８３２９号公報
【発明の概要】
【発明が解決しようとする課題】
【０００５】
しかし、特開２００８−１８８３２９号公報では、医用画像が生成されるまでの連携については何ら記載されていない。医用画像が生成されるまでには、以下の一連の工程が行われる。【０００６】
（１）受付室に設置された端末（レセプトコンピュータ）にて、患者情報が登録される。患者情報の登録は受付担当者により行われる。
（２）検査室に設置されたモダリティにて、患者情報が登録され、該患者の医用画像が生成される。患者情報の登録は検査担当者により行われる。
（３）診察室に設置された情報端末にて、生成された医用画像が閲覧される。医用画像の閲覧は医師又は専門の読影医により行われる。【０００７】
大規模な医療機関である場合、上記（１）〜（３）の各工程には各専門の担当者がそれぞれ配属されて処理されるため、あまり問題にならない。【０００８】
小規模な医療機関である場合、上記（１）〜（３）の各工程は医師一人又は少人数で処理されることになる。各工程は独自の端末／装置によって処理されるため連携がなく、医師は工程ごとに同一の患者情報や検査情報を何度も入力する煩雑な作業が必要となる。
また、節電のため、使用していない端末／装置の電源はＯＦＦにされるが、使用する度に電源をＯＮにし、端末／装置が立ち上がるまで待つとなると作業効率が低下する。【０００９】
本発明の課題は、連携情報を生成する情報端末と、連携情報に基づいて患者情報又は検査情報の登録を行うモダリティと、を含む連携システムを提供することである。
【課題を解決するための手段】
【００１０】
本発明によれば、
情報端末と、当該情報端末に接続されるモダリティと、を含む連携システムであって、
前記情報端末は、患者情報又は検査情報を含む連携情報を生成し、
前記モダリティは、前記生成された連携情報を取得し、当該取得された連携情報に基づいて撮影対象の患者の患者情報又は検査情報について登録を行い、撮影開始時の表示画面を表示して待機する連携システムが提供される。【００１１】
また、本発明によれば、
撮影対象の患者の医用画像を取得するための画像取り込みボタンと、
モダリティに接続される通信部と、
前記画像取り込みボタンの押下時に、前記モダリティの電源がＯＮであるか否かを確認し、電源がＯＮでない場合は電源連動コマンドにより電源をＯＮにするとともに前記撮影対象の患者の患者情報又は検査情報を含む連携情報を共有フォルダに格納する制御部と、
を備えた情報端末が提供される。
【発明の効果】
【００１２】
本発明によれば、情報端末には連携情報を生成させ、モダリティには連携情報に基づいて患者情報又は検査情報を自動的に登録させて撮影開始時の表示画面を表示させておくことができる。つまり、レセプトコンピュータや情報端末で入力／確認した患者情報等をモダリティで再度入力する手間を省いて、すぐに撮影を開始することができる。煩雑な作業を削減するとともに、入力ミスを防止することができる。
【図面の簡単な説明】
【００１３】
【図１】連携システムの全体構成図である。
【図２】情報端末の機能的構成図である。
【図３】画面例を示す図である。
【図４】画面例を示す図である。
【図５】画面例を示す図である。
【図６】第１の連携処理を示すフロー図である。
【図７】連携処理の概念図である。
【図８】第２の連携処理を示すフロー図である。
【図９】第３の連携処理を示すフロー図である。
【発明を実施するための形態】
【００１４】
本実施形態における連携システムの構成及び動作について、図面を用いて詳細に説明する。なお、本実施形態は本発明の一例に過ぎず、本発明はこれに限定されるものではない。
【００１５】
図１に、連携システム１００の構成を示す。
連携システム１００は、レセプトコンピュータ１０、情報端末２０、モダリティ３０等を備えて構成される。
各装置（１０〜３０）は、ＬＡＮにより通信可能に接続されている。通信規格は、例えばＨＬ７又はＤＩＣＯＭ  ＭＷＭ（Modality Worklist Management）等が用いられる。
【００１６】
レセプトコンピュータ１０は、一般的なＰＣ（Personal Computer）である。
レセプトコンピュータ１０は受付室に設置され、患者情報を登録し、登録された患者情報を情報端末２０又はモダリティ３０に送信する。
【００１７】
患者情報とは、患者ＩＤ、氏名、生年月日、性別等を含む情報であり、患者を特定する情報をいう。
【００１８】
情報端末２０は、一般的なＰＣとしての機能を備えると共に、医用画像を取得／管理する等の機能を備える端末である。
情報端末２０は、患者情報を受信又は登録し、検査情報を受信又は登録する。
【００１９】
検査情報とは、検査ＩＤ、検査モードやプローブ種別（超音波診断を行う場合に限る）、画像処理パラメータ等を含む情報であり、検査を特定する情報をいう。
【００２０】
情報端末２０は診察室に設置され、患者情報又は検査情報（以下、「連携情報」という）を共有フォルダに出力する。
共有フォルダは情報端末２０が備えることとしてもよいし、ＬＡＮ接続されて外部に設置される記憶媒体が備えることとしてもよい。
【００２１】
なお、図１によれば、１台の情報端末２０が診察室に設置されているがこれに限らず、例えば診察室に２台の情報端末２０を設置したり、２台のうち１台を検査室に設置したりしてもよい。
【００２２】
図２に、情報端末２０の機能的構成を示す。
情報端末２０は、制御部２１、操作部２２、表示部２３、通信部２４、記憶部２５等を備えて構成される。
【００２３】
制御部２１は、ＣＰＵ（Central Processing Unit）、ＲＡＭ（Random Access Memory）等を備えて構成される。
制御部２１は、記憶部２５に記憶されているプログラムとの協働により各種演算を行い、各部（２２〜２５）の動作を集中制御する。
【００２４】
操作部２２は、キーボードやマウス等を備えて構成される。
操作部２２は、ユーザの操作により操作信号を生成し、生成された操作信号を制御部２１に出力する。
【００２５】
表示部２３は、ディスプレイ等を備えて構成され、制御部２１からの表示制御に従い各種操作画面や医用画像を表示する。
【００２６】
図３〜図５に、表示される画面例を示す。
図３の画面Ｄ１は、レセプトコンピュータ１０により登録された患者情報を表示するリスト画面である。なお、レセプトコンピュータ１０においても同様の画面が表示される。
【００２７】
画面Ｄ１の下段の領域Ｄ１１には、レセプトコンピュータ１０から送信された患者情報がリスト表示される。
画面Ｄ１の上段の領域Ｄ１２には、領域Ｄ１１において選択された一の患者の詳細な患者情報が表示される。
【００２８】
図４の画面Ｄ２は、画面Ｄ１で選択された患者のビューア画面である。
画面Ｄ２の上部にある領域Ｄ２１には、モダリティの種類を示すボタンが表示される。領域Ｄ２１のボタンは、画像取り込みボタンとして機能する。
領域Ｄ２１の何れかのボタン（例えば、ＵＳ）が押下されると、領域Ｄ２２に超音波診断装置（ＵＳ装置）により撮影された医用画像が表示される。
【００２９】
図５の画面Ｄ３は、領域Ｄ２１の画像取り込みボタンが押下されて医用画像を取り込んだ場合の患者のビューア画面である。
【００３０】
図２に戻り、通信部２４は、通信用のインターフェイス等を備えて構成される。
通信部２４は、同一ネットワーク上に設置されているレセプトコンピュータ１０から患者情報を受信する。また、通信部２４はモダリティ３０から医用画像を受信する。
【００３１】
記憶部２５は、ＲＯＭ（Read Only Memory）等の不揮発性の半導体メモリを備えて構成される。
記憶部２５は、システムプログラムや各種処理プログラムを記憶し、各種処理により得られたデータ等を記憶する。また、記憶部２５は、通信部２４により受信された医用画像を記憶する。
【００３２】
また、記憶部２５は、共有フォルダ２５ｆを備える。
共有フォルダ２５ｆは、制御部２１により生成された連携情報を格納する。
【００３３】
図１に戻り、モダリティ３０は、一般撮影装置（ＣＲ装置）３１、超音波診断装置（ＵＳ装置）３２、内視鏡撮影装置（ＥＳ装置）３３等の医用画像を撮影する装置である。
モダリティ３０は検査室１又は検査室２に設置される。
【００３４】
モダリティ３０は、情報端末２０が共有フォルダ２５ｆに格納した連携情報に基づいて、撮影開始時の表示画面を図示しない表示部に表示して待機する。
なお、通常であれば、撮影開始時の表示画面は患者情報及び検査情報がユーザの操作により入力された後に表示される。
【００３５】
モダリティ３０は、撮影画面において患者を撮影し、得られた医用画像を情報端末２０に送信する。
【００３６】
図６を参照して、第１の連携処理について説明する。
まず、情報端末２０側の処理について説明する。
【００３７】
制御部２１は、リスト画面（図３；Ｄ１）を表示部２３に表示する（ステップＳ１）。
制御部２１は、ビューア画面（図４；Ｄ２）で表示する一の患者が選択されたか否か判断する（ステップＳ２）。
【００３８】
選択されていない場合（ステップＳ２；Ｎ）、制御部２１は、リスト画面の表示を維持する。
選択された場合（ステップＳ２；Ｙ）、制御部２１は、選択された患者のビューア画面を表示する（ステップＳ３）。
【００３９】
なお、ステップＳ３で表示されるビューア画面には患者の医用画像はまだ表示されない。画像取り込みボタン（図４；Ｄ２１）が押下された場合に、ビューア画面に患者の医用画像が表示されることになる。
【００４０】
制御部２１は、画像取り込みボタンが押下されたか否か判断する（ステップＳ４）。
押下されていない場合（ステップＳ４；Ｎ）、制御部２１は、ビューア画面の表示を維持する。
押下された場合（ステップＳ４；Ｙ）、制御部２１は、モダリティ３０の電源がＯＮであるか否か判断する（ステップＳ５）。
【００４１】
モダリティ３０の電源がＯＮであるか否かの判断には、ｐｉｎｇやＡＣＫ等のコマンドが用いられる。或いは、情報端末２０とモダリティ３０との間で予め定めた特殊なプロトコルを用いるとしてもよい。
【００４２】
モダリティ３０の電源がＯＮでない場合（ステップＳ５；Ｎ）、制御部２１は、電源連動コマンド（Wake on LAN）をモダリティ３０に送信する（ステップＳ６）。
送信後はステップＳ７に移行する。
【００４３】
モダリティ３０の電源がＯＮである場合（ステップＳ５；Ｙ）、制御部２１は、連携情報を共有フォルダ２５ｆに格納して（ステップＳ７）、情報端末側での処理を終了する。
なお、連携情報とは既述したように、患者情報又は検査情報を含む情報である。
【００４４】
次に、モダリティ３０側の処理について説明する。
ここでは、処理開始前のモダリティ３０の電源がＯＦＦである場合について述べる。
【００４５】
モダリティ３０は、電源連動コマンドを受信して電源をＯＮにする（ステップＳ８）。
モダリティ３０は、電源ＯＮの状態では常時、連携情報監視プロセスを実行する（ステップＳ９）。
【００４６】
連携情報監視プロセスにより、モダリティ３０は共有フォルダ２５ｆのパスに従ってフォルダ内に格納された所定の連携情報を取得する。
【００４７】
モダリティ３０は、連携情報に撮影対象として登録されている患者がモダリティ３０でも登録されているか否か判断する（ステップＳ１０）。
【００４８】
登録されていない場合（ステップＳ１０；Ｎ）、モダリティ３０は、連携情報において特定される患者を新規患者として登録する（ステップＳ１１）。
登録後はステップＳ１２に移行する。
【００４９】
登録済み患者が存在する場合（ステップＳ１０；Ｙ）、モダリティ３０は、登録済みの患者について撮影開始時の表示画面を図示しない表示部に表示する（ステップＳ１２）。
【００５０】
なお、既述したように、撮影開始時の表示画面は通常、モダリティ３０において患者情報又は検査情報がユーザにより入力されて登録された後に表示される画面である。
ここでは、モダリティ３０は連携情報に基づいて患者情報又は検査情報を自動的に入力して撮影画面を表示する。
【００５１】
モダリティ３０は、撮影開始時の表示画面の表示を維持し、所定の撮影ボタン等が押下された場合に撮影を行い（ステップＳ１３）、モダリティ３０側の処理を終了する。
以上により、連携システム１００は、第１の連携処理を終了する。
【００５２】
図７に、第１の連携処理の概念図を示す。
まず、情報端末２０側での処理（１〜６）について説明する。
【００５３】
情報端末２０側では、リスト画面が表示され（処理１）、一の患者が選択されるとビューア画面の表示に切り替わる（処理２）。
【００５４】
次いで画像取り込みボタン（ここではＵＳボタン）が押下されると（処理３）、モダリティ３０の電源ＯＮ／ＯＦＦがチェックされる（処理４）。
【００５５】
電源ＯＦＦの場合は電源連動コマンドが送信され（処理５）、連携情報が共有フォルダ２５ｆに出力される（処理６）。
【００５６】
次に、モダリティ３０側での処理（７、８）について説明する。
モダリティ３０側では、電源ＯＦＦ時の場合には電源連動コマンドが受信されて電源がＯＮになる。
連携情報監視プロセスが実行され、連携情報が取得される（処理７）。
【００５７】
患者登録状況が確認された後、撮影対象の患者について撮影開始時の表示画面が表示される（処理８）。
その後撮影され、確定された医用画像が情報端末２０に送信される。
【００５８】
情報端末２０では、医用画像の受信又は患者情報の確認等が行われ、最終的に医用画像がビューア画面に表示される（処理９）。
【００５９】
図８を参照して、第２の連携処理について説明する。
第２の連携処理は、第１の連携処理と比較して、情報端末２０が患者情報通知メッセージを用いてモダリティ３０に連携情報を送信する点で異なる。以下、具体的な処理について説明する。
【００６０】
ステップＳ２１〜Ｓ２６までは、第１の連携処理のステップＳ１〜Ｓ６と同様の処理であるためここでの説明は省略する。
【００６１】
制御部２１は、連携情報を患者情報通知メッセージによりモダリティ３０に送信する（ステップＳ２７）。
【００６２】
患者情報通知メッセージとは、例えばＨＬ７ ＡＤＴメッセージである。ＨＬ７は、ヘルスケア関連情報の電子データを異なるシステム間で交換する際に用いられる標準フォーマットである。
ＨＬ７ ＡＤＴメッセージによれば、連携情報を異なるシステム間（ここでは情報端末２０とモダリティ３０間）で交換することができる。
【００６３】
モダリティ３０は、電源連動コマンドを受信して電源をＯＮにした後（ステップＳ２８）、患者情報通知メッセージを受信する（ステップＳ２９）。
なお、モダリティ３０は、ＨＬ７ ＡＤＴメッセージを受信した場合、ＨＬ７ ＡＣＫメッセージ（患者情報通知応答メッセージ）を情報端末２０に送信する。
【００６４】
ステップＳ３０〜Ｓ３３までは、第１の連携処理のステップＳ１０〜Ｓ１３と同様であるためここでの説明は省略する。
以上により、連携システム１００は第２の連携処理を終了する。
【００６５】
図９を参照して、第３の連携処理について説明する。
第３の連携処理は、第１の連携処理と比較して、情報端末２０が連携情報を共有フォルダ２５ｆに出力する点で同様であり、モダリティ３０がＤＩＣＯＭＭＷＭにより検査予約情報の問合せを行う点で異なる。以下、具体的な処理について説明する。
【００６６】
ステップＳ４１〜Ｓ４９までは、第１の連携処理のステップＳ１〜９と同様の処理であるため、ここでの説明は省略する。
【００６７】
モダリティ３０は、ＤＩＣＯＭ ＭＷＭによる問合せを行い、検査予約情報を情報端末２０から取得する（ステップＳ５０）。
モダリティ３０は、取得された検査予約情報で登録されている患者がモダリティ３０でも登録されているか否か判断する（ステップＳ５１）。
【００６８】
ステップＳ５２〜Ｓ５４までは、第１の連携処理のステップＳ１１〜Ｓ１３と同様であるためここでの説明は省略する。
以上により、連携システム１００は第３の連携処理を終了する。
【００６９】
以上のように、本実施形態によれば、情報端末２０は連携情報を生成することができる。一方、モダリティ３０は連携情報に基づいて撮影対象の患者の患者情報又は検査情報を自動的に登録し、かつ撮影開始時の表示画面を表示して待機することができる。
【００７０】
また、情報端末２０は医用画像の取り込み時に、モダリティ３０の電源をＯＮにすることができる。
【００７１】
また、情報端末２０は医用画像の取り込み時に、連携情報を共有フォルダ２５ｆに格納することができる。一方、モダリティ３０は共有フォルダ２５ｆから連携情報を取得することができる。
【００７２】
また、情報端末２０はモダリティ３０からの問合せに応じて検査予約情報をモダリティ３０に取得させることができる。一方、モダリティ３０は検査予約情報及び連携情報に基づいて撮影対象の患者の患者情報又は検査情報を自動的に登録し、かつ撮影開始時の表示画面を表示して待機することができる。
【００７３】
また、情報端末２０は医用画像の取り込み時に、患者通知メッセージ（ＨＬ７ ＡＤＴメッセージ）よって連携情報をモダリティに取得させることができる。一方、モダリティ３０は患者通知メッセージによって連携情報を取得することができる。
【００７４】
また、患者情報は患者ＩＤ、氏名、生年月日又は性別のうち、何れか又は全てを含む情報であり、検査情報は検査ＩＤ、検査モード、プローブ種別又は画像処理パラメータのうち、何れか又は全てを含む情報である。なお、これ以外の情報を含ませるとしてもよい。
【産業上の利用可能性】
【００７５】
医療の分野において利用することが可能であり、医用画像を取得／管理する機能を備えた情報端末に適用することができる。また、この情報端末とモダリティとが接続された連携システムに適用することができる。
【符号の説明】
【００７６】
１００  連携システム
１０    レセプトコンピュータ
２０    情報端末
２１    制御部
２２    操作部
２３    表示部
２４    通信部
２５    記憶部
２５ｆ  共有フォルダ
３０    モダリティ
【図１】
2011004632.tif 000003
【図２】
2011004632.tif 000004
【図３】
2011004632.tif 000005
【図４】
2011004632.tif 000006
【図５】
2011004632.tif 000007
【図６】
2011004632.tif 000008
【図７】
2011004632.tif 000009
【図８】
2011004632.tif 000010
【図９】
2011004632.tif 000011
【国際調査報告】
2011004632.tif 000012
2011004632.tif 000013
2011004632.tif 000014
2011004632.tif 000015